(57)【要約】【課題】ドラグつまみ及び釣り用リールにおいて、軸方向の断面が矩形状のコイルバネであっても変形を防ぐ。【解決手段】リール本体２に回転可能に設けられる操作部材６７と、操作部材６７の回転によって、操作部材６７の回転軸方向に伸縮するコイルバネ７３と、コイルバネ７３による付勢力を受けてスプール４にドラグ力を付与する受け部材６６と、回転軸方向においてコイルバネ７３と受け部材６６との間に配置され、受け部材６６より摩擦係数が小さい摺動部材６３と、を備える。【選択図】図５
2014108092.tif 000002
【特許請求の範囲】
【請求項１】
釣り用リールのリール本体に回転可能に装着されるスプールの回転を制動するドラグ機構のドラグ力を調整するためのドラグつまみであって、
前記リール本体に回転可能に設けられる操作部材と、
前記操作部材の回転によって、前記操作部材の回転軸方向に伸縮するコイルバネと、
前記コイルバネによる付勢力を受けて前記スプールにドラグ力を付与する受け部材と、
前記回転軸方向において前記コイルバネと前記受け部材との間に配置され、前記受け部材より摩擦係数が小さい摺動部材と、
を備える、ドラグつまみ。
【請求項２】
釣り用リールのリール本体に回転可能に装着されるスプールの回転を制動するドラグ機構のドラグ力を調整するためのドラグつまみであって、
前記リール本体に回転可能に設けられる操作部材と、
前記操作部材の回転によって、前記操作部材の回転軸方向に伸縮するコイルバネと、
前記コイルバネによる付勢力を受けて前記スプールにドラグ力を付与する受け部材と、
前記回転軸方向において前記コイルバネと前記操作部材との間に配置され、前記操作部材より摩擦係数が小さい摺動部材と、
を備える、ドラグつまみ。
【請求項３】
前記コイルバネは、軸方向断面が矩形状である、請求項１又は２に記載の制動装置。
【請求項４】
前記コイルバネは、コイルドウェーブスプリングである、請求項１から３のいずれかに記載の制動装置。
【請求項５】
リール本体と、
前記リール本体に回転可能に装着されるスプールと、
請求項１から４のいずれかに記載のドラグつまみを有し、前記スプールの回転を制動するドラグ機構と、
と、を備える釣り用リール。
【発明の詳細な説明】
【技術分野】
【０００１】
本発明は、ドラグ機構のドラグ力を調整するためのドラグつまみ、およびこれを用いた釣り用リールに関するものである。
【背景技術】
【０００２】
一般的に、釣り用リールは、スプールの回転を制動するためのドラグ機構を備えている。このドラグ機構は、ドラグ力を調整するためのドラグつまみと、複数枚のドラグ座金からなる摩擦部とから主に構成される。ドラグつまみは、操作部材と、操作部材に対して相対回転可能に装着される受け部材と、操作部材と受け部材との間に配置されるコイルバネとを有する。このドラグつまみは、操作部材を回転させることによって、内部に収容されるコイルバネを伸縮させて受け部材への付勢力を変化させる。コイルバネの付勢力が変化することによって受け部材による摩擦部への押圧力が変化し、ドラグ力が調整される。
【０００３】
このような構成のドラグつまみに使用されるコイルバネは、円形断面の線材を螺旋状にすることによって形成されているため、圧縮時にコイルバネが径方向に湾曲するおそれがある。この径方向への湾曲を防止するため、特許文献１では、特許文献２及び３に開示されるような断面が矩形状の線材を螺旋状にして形成されるコイルバネをドラグつまみに使用している。
【先行技術文献】
【特許文献】
【０００４】
【特許文献１】特開２０１２−２０５５１７号公報
【特許文献２】特開２００２−３９２４３号公報
【特許文献３】実公平６−１０２２６号公報
【発明の概要】
【発明が解決しようとする課題】
【０００５】
上述したようなドラグつまみに使用される各種のコイルバネは、操作部材を回転させたときに、広がり方向に力を受けると捩れが生じて変形しやすい、すなわち、周方向に力を受けると捩れ変形してしまうおそれがある。なお、この捩れ変形は、特許文献１に示すように断面が矩形状のコイルバネを用いた場合に顕著に現れる。
【０００６】
本発明の課題は、ドラグつまみ及び釣り用リールにおいて、コイルバネの変形を防ぐことにある。
【課題を解決するための手段】
【０００７】
発明１に係るドラグつまみは、釣り用リールのリール本体に回転可能に装着されるスプールの回転を制動するドラグ機構のドラグ力を調整するためのドラグつまみである。このドラグつまみは、操作部材、コイルバネ、受け部材、及び摺動部材を備える。操作部材は、リール本体に回転可能に設けられる。コイルバネは、操作部材の回転によって、操作部材の回転軸方向に伸縮する。受け部材は、コイルバネによる付勢力を受けてスプールにドラグ力を付与する。摺動部材は、回転軸方向においてコイルバネと受け部材との間に配置され、受け部材よりも摩擦係数が小さい。
【０００８】
この構成によれば、コイルバネと受け部材との間に摺動部材が配置されるため、従来、受け部材との摩擦によって周方向の摩擦力が掛かっていたコイルバネには、摺動部材との摩擦によって周方向の摩擦力が掛かるようになる。そして、受け部材よりも摺動部材の方が摩擦係数が小さいため、コイルバネに対して掛かる摩擦力を従来に比べて低減することができる。この結果、摩擦力によるコイルバネの捩れ変形を抑制することができる。
【０００９】
発明２に係るドラグつまみは、釣り用リールのリール本体に回転可能に装着されるスプールの回転を制動するドラグ機構のドラグ力を調整するためのドラグつまみである。このドラグつまみは、操作部材、コイルバネ、受け部材、及び摺動部材を備える。操作部材は、リール本体に回転可能に設けられる。コイルバネは、操作部材の回転によって、操作部材の回転軸方向に伸縮する。受け部材は、コイルバネによる付勢力を受けてスプールにドラグ力を付与する。摺動部材は、回転軸方向においてコイルバネと操作部材との間に配置され、操作部材よりも摩擦係数が小さい。
【００１０】
この構成によれば、コイルバネと操作部材との間に摺動部材が配置されるため、従来、操作部材との摩擦によって周方向の摩擦力が掛かっていたコイルバネには、摺動部材との摩擦によって周方向の摩擦力が掛かるようになる。そして、操作部材よりも摺動部材の方が摩擦係数が小さいため、コイルバネに掛かる摩擦力を従来に比べて低減することができる。この結果、摩擦力によるコイルバネの捩れ変形を抑制することができる。
【００１１】
発明３に係るドラグつまみは、発明１又は２に記載のドラグつまみにおいて、コイルバネの軸方向断面が矩形状である。コイルバネを軸方向の断面が矩形状のコイルバネを用いることによって、コイルバネの径方向への湾曲を防ぐことができる。なお、コイルバネの軸方向断面が矩形状の場合であっても、上述したようにコイルバネに掛かる摩擦力を低減することができるため、コイルバネの捩れ変形を抑制することができる。
【００１２】
発明４に係るドラグつまみは、発明１から３に記載のドラグつまみであって、コイルバネがコイルドウェーブスプリングである。コイルバネをコイルドウェーブスプリングにすることによって、同等の付勢力を保持しつつ軸方向の長さを短くすることができる。
【００１３】
発明５に係る釣り用リールは、リール本体と、リール本体に回転可能に装着されるスプールと、発明１から４のいずれかに記載のドラグつまみを有しておりスプールの回転を制動するドラグ機構と、を備える。
【発明の効果】
【００１４】
本発明によれば、ドラグつまみ及び釣り用リールにおいて、コイルバネの捩れ変形を防ぐことができる。
【図面の簡単な説明】
【００１５】
【図１】本発明の一実施形態が採用されたスピニングリールの側面図。
【図２】その側面断面図。
【図３】スプールの側面断面図。
【図４】スプールの分解斜視図。
【図５】ドラグつまみの側面断面図。
【図６】ドラグつまみの分解斜視図斜視図。
【図７】コイルバネの側面図。
【図８】コイルバネの側面断面図。
【図９】変形例１に係るドラグつまみの側面断面図。
【図１０】変形例２に係るコイルバネの側面図。
【発明を実施するための形態】
【００１６】
図１及び図２に示すように、本発明の一実施形態によるスピニングリールは、ハンドル１と、ハンドル１を回転自在に支持するリール本体２と、ロータ３と、スプール４と、スプール４内に収容されるドラグ機構６０及びドラグ発音機構８５とを備える。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置される。なお、ハンドル１は、リール本体２の左側と、リール本体２の右側とのいずれにも装着可能である。
【００１７】
［リール本体の構成］
リール本体２は、図１及び図２に示すように、開口２ｄを有するリールボディ２ａと、開口２ｄを塞ぐようにリールボディ２ａに着脱自在に装着された蓋部材２ｂと、リールボディ２ａから斜め上前方に延びる竿取付脚２ｃとを有する。リールボディ２ａ及び蓋部材２ｂは、例えばアルミニウム合金製とすることができる。リールボディ２ａは、内部に空間を有しており、その空間内には、後述するロータ駆動機構５及びオシレーティング機構６が設けられる。
【００１８】
ロータ駆動機構５は、ロータ３をハンドル１の回転に連動して回転させるための機構である。このロータ駆動機構５は、図２に示すように、ハンドル１のハンドル軸１０が固定されるメインギア軸１１ａとともに回転するメインギア１１と、このメインギア１１に噛み合うピニオンギア１２とを有する。ピニオンギア１２は筒状に形成され、その前部１２ａはロータ３の中心部を貫通し、ナット１３によってロータ３と固定されている。ピニオンギア１２は、その軸方向の中間部と後端部とが、リールボディ２ａに間隔を隔てて装着された軸受１４ａ，１４ｂによって、リールボディ２ａに回転自在に支持されている。
【００１９】
オシレーティング機構６は、釣り糸を均一に巻き取るためにスプール４を前後に移動させるための機構である。より詳細には、オシレーティング機構６は、スプール４の中心部にドラグ機構６０を介して連結されたスプール軸（回転軸の一例）１５を前後方向に移動させて、スプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有する。スライダ２２にはスプール軸１５の後端が回転不能に固定される。中間ギア２３は、ピニオンギア１２と噛み合う。
【００２０】
スプール軸１５は、ピニオンギア１２の中心部を軸方向に貫通して配置される。スプール軸１５は、オシレーティング機構６によって、ピニオンギア１２の内部を前後に往復移動する。スプール軸１５は、中間部がナット１３内に装着された軸受１６によって、後部がピニオンギア１２の後部内周面によって、軸方向移動自在に支持される。なお、スプール軸１５は回転不能であり、ピニオンギア１２はスプール軸１５に対して相対的に回転自在である。スプール軸１５がピニオンギア１２と相対回転しながら前後移動するときに、ピニオンギア１２にスプール軸１５がかじりつくのを防止するために、スプール軸１５の表面には、無電解Ｎｉメッキが施されている。スプール軸１５の先端には、互いに平行な面で構成された回り止めのための係止面１５ａと、ドラグ調整用の雄ねじ部１５ｂとが形成されている。
【００２１】
〔ロータの構成〕
ロータ３は、円筒部３０と、円筒部３０の側方に互いに対向して設けられる第１ロータアーム３１及び第２ロータアーム３２とを有する。円筒部３０と第１ロータアーム３１及び第２ロータアーム３２とは一体に成形される。
【００２２】
円筒部３０の前部には前壁３０ａが形成され、この前壁３０ａの中央部にはボス部３０ｂが設けられる。ボス部３０ｂの中心部には貫通孔が形成され、この貫通孔をピニオンギア１２の前部１２ａ及びスプール軸１５が貫通する。前壁３０ａの前部にはナット１３が配置され、このナット１３によって、ピニオンギア１２の前部１２ａにロータ３が固定される。
【００２３】
第１ロータアーム３１は、円筒部３０から外方に向けて凸状に湾曲して前方へと延びる。第１ロータアーム３１の先端外周側には、第１ベール支持部材４０が揺動自在に装着される。第１ベール支持部材４０の先端には、釣り糸をスプール４に案内するためのラインローラ４１が装着される。第２ロータアーム３２は、円筒部３０から外方に凸に湾曲して前方に延びる。第２ロータアーム３２の先端外周側には、第２ベール支持部材４２が揺動自在に装着される。ラインローラ４１と第２ベール支持部材４２との間には、線材を略Ｕ状に湾曲させたベール４３が固定される。これらの第１ベール支持部材４０、第２ベール支持部材４２、ラインローラ４１、及びベール４３によって、ベールアーム４４は構成される。ベールアーム４４は、図１に示す糸案内姿勢とそれから反転した糸開放姿勢との間で揺動自在である。
【００２４】
ロータ３の円筒部３０の内部にはロータ３の逆転を禁止・解除するための逆転防止機構５０が配置される。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換レバー（図示省略）とを有する。
【００２５】
〔スプールの構成〕
スプール４は、図２に示すように、ロータ３の第１ロータアーム３１と第２ロータアーム３２との間に配置され、スプール軸１５の先端に装着される。スプール４は、図３に示すように、たとえばアルミニウム合金製の糸巻き胴部４ａと、糸巻き胴部４ａの後部に一体で形成されたスカート部４ｂと、糸巻き胴部４ａの前端に一体形成された前フランジ部４ｃとを有する。スプール４の内部には、設定されたドラグ力がスプール４に作用するようにスプール４を制動するドラグ機構６０と、ドラグ作動時に発音するドラグ発音機構８５と、が収納される。
【００２６】
糸巻き胴部４ａは、円筒状の部材であり、外周面はスプール軸１５と平行な周面で構成される。糸巻き胴部４ａは、釣り糸が巻き付けられる筒状部４ｄと、筒状部４ｄの内周面に一体形成された円板状の支持壁部４ｅと、支持壁部４ｅの内周側に形成される筒状の軸支部４ｆと、を有する。
【００２７】
スカート部４ｂは、糸巻き胴部４ａの後方から径方向に延びる後フランジ部４ｈと、後フランジ部４ｈの外周側から後方に筒状に延びる円筒部４ｉと、を有する。この円筒部４ｉの内側にロータ３の連結部３０が配置される。
【００２８】
前フランジ部４ｃの外周面には、釣り糸を糸巻き胴部４ａからスムーズに放出するための金属製のスプールリング２０が装着される。スプールリング２０は、先広がりの傾斜面２０ａを有する。スプールリング２０は、リング固定部材１９によって前フランジ部４ｃに固定される。リング固定部材１９は、前フランジ部４ｃから前方に突出する筒状の雌ねじ部４ｊに螺合する。
【００２９】
図３及び図４に示すように、糸巻き胴部４ａの内部において、支持壁部４ｅの前方には、ドラグ機構６０を収納するためのドラグ収納筒部５２が一体回転可能に装着される。ドラグ収納筒部５２の前方には、軸支部４ｆとでスプール４をスプール軸１５に対して回転自在に支持するための支持筒部５３が装着されている。
【００３０】
ドラグ収納筒部５２の内部には、ドラグ機構６０の後述する摩擦部６２が収納される。ドラグ収納筒部５２は、周方向に間隔を隔てて形成される複数（たとえば、８つ）の半円形の係止凹部５２ａを内周面に有する。また、スプール４の支持壁部４ｅには、複数（例えば４つ）の係合孔４ｇが周方向に間隔を隔てて形成される。そして、ドラグ収納筒部５２は、その各係合孔４ｇに係合する複数（たとえば、４つ）の係合突起５２ｂを後面に有している。これによって、ドラグ収納筒部５２は、スプール４と一体回転する。
【００３１】
支持筒部５３は、糸巻き胴部４ａの筒状部４ｄの内周面に嵌合する装着筒部５３ａと、装着筒部５３ａの内周面に一体形成される円形壁部５３ｂと、円形壁部５３ｂの内周側に形成される筒状の軸支部５３ｃと、を有する。装着筒部５３ａの前側外周面５３ｅは、後側外周面５３ｆよりも大径に形成され筒状部４ｄの内周面に嵌合する。この前側外周面５３ｅには、筒状部４ｄと支持筒部５３との隙間から液体が支持筒部５３の後方へ浸入するのを防止するためにＯリング５４が装着される。Ｏリング５４は、支持筒部５３の前側外周面５３ｅに形成された環状溝５３ｄに装着される。装着筒部５３ａの後面は、ドラグ収納筒部５２の前面に接触する。支持筒部５３は、その前方でスプール４内部に装着される線材製の抜け止めばね５５によって、ドラグ収納筒部５２とともに抜け止めされる。抜け止めばね５５は、糸巻き胴部４ａの前面とリング固定部材１９の後面との隙間でスプール４内に保持される。
【００３２】
スプール軸１５の外周面には、第１支持部５６及び第２支持部５７が嵌め込まれ、この第１支持部５６及び第２支持部５７には２つの軸受５８ａ，５８ｂが装着される。これによって、スプール４をスプール軸１５に対して回転自在に支持する。第１支持部５６は、スプール軸１５に回転可能に装着される。第１支持部５６は、鍔部５６ａと鍔部５６ａよりも小径の筒部５６ｂとを有する鍔付き円筒状の部材である。第１支持部５６は、ドラグつまみ６１と摩擦部６２との間に、両者に接触して配置される。第１支持部５６の筒部５６ｂの外周面には、軸受５８ａの内輪がカシメ固定される。軸受５８ａの外輪は、支持筒部５３の軸支部５３ｃに装着される。これによって、第１支持部５６の筒部５６ｂの外周面に対して軸受５８ａを簡単に抜け止めできる。
【００３３】
第２支持部５７は、スプール軸１５の前側部分に形成される係止面１５ａの後部に固定される。第２支持部５７は、小径部５７ａと大径部５７ｂとを有する大小二段の段付き筒状の部材である。小径部５７ａには、軸受５８ｂの内輪が装着される。軸受５８ｂの外輪は、糸巻き胴部４ａの軸支部４ｆに装着される。大径部５７ｂには、互いに平行な面で構成された第１係止面５７ｃと、第１係止面と直交する第２係止面５７ｄと、が形成される。この第１係止面５７ｃを貫通するように配置される止めねじ５９によって、第２支持部５７はスプール軸１５に回転不能に固定される。止めねじ５９は、すり割り付きのホローセットスクリューを用いたものであり、第１係止面５７ｃを通って係止面１５ａを貫通するねじ孔にねじ込まれる。
【００３４】
このような構成のスプール４の支持構造では、糸巻き胴部４ａの支持壁部４ｅの前方に支持筒部５３を設け，支持筒部５３に軸受５８ａを配置するので、軸支部４ｆに２つの軸受を並べる従来の構成に比べて、２つの軸受５８ａ，５８ｂの軸方向の間隔を広くすることができる。このため、スプール４の支持間隔が広くなり、スプール４のがたつきを抑えることができる。
【００３５】
〔ドラグ機構の構成〕
ドラグ機構６０は、スプール４の糸繰り出し方向への回転を制動してスプール４にドラグ力を作用させるための機構である。図３及び図４に示すように、ドラグ機構６０は、ドラグつまみ６１と、例えば４枚のドラグ座金６２ａ〜６２ｄを有する摩擦部６２と、を備える。
【００３６】
〔ドラグつまみの構成〕
ドラグつまみ６１は、図５及び図６に示すように、操作部材６７、コイルバネ７３、受け部材６６、及び摺動部材６３を備える。また、ドラグつまみ６１は、操作部材６７と受け部材６６とを軸方向移動不能かつ回転自在に連結する連結部材７４と、ドラグつまみ６１とスプール４との隙間をシールするための第１シール部材６４と、受け部材６６と操作部材６７との隙間をシールする第２シール部材６５と、受け部材６６と操作部材６７との相対回転によって発音するつまみ発音機構６８と、をさらに有する。
【００３７】
受け部材６６は、コイルバネ７３による付勢力を受けてスプール４にドラグ力を付与するための部材である。受け部材６６は、リング状の鍔部６６ａと、鍔部６６ａよりも小径の円筒部６６ｂとを有する鍔付き筒状の、例えばアルミニウム合金等の金属製の部材である。受け部材６６は、スプール軸１５に回転不能かつ軸方向移動自在に設けられる。
【００３８】
円筒部６６ｂの内周部には、スプール軸１５の係止面１５ａに回転不能に係合する長円状の係止スロット６６ｃが形成される。円筒部６６ｂの外周面の第１シール部材６４の装着部分の後部には、環状溝６６ｄが形成される。この円筒部６６ｂの後端面が第１支持部５６を介して摩擦部６２のドラグ座金６２ａに当接する。
【００３９】
操作部材６７は、受け部材６６に対向して配置され、受け部材６６と相対回転自在に設けられる。操作部材６７は、リール本体２に回転可能に設けられる部材であって、スプール軸１５に螺合するとともに、鍔部６６ａを覆うように受け部材６６に向けて筒状に突出する部材である。操作部材６７は、つまみ体７１と、つまみ体７１に回転不能かつ軸方向移動自在に装着され、スプール軸１５に螺合するナット部７２とを有する。
【００４０】
つまみ体７１は、合成樹脂製のつまみ本体７５と、つまみ本体７５の前面に固定される金属製の円板状のカバー部７６と、カバー部７６の前面に径方向に沿って固定された金属製の操作つまみ７７と、を有する。
【００４１】
つまみ本体７５は、円板部７５ａと、円板部７５ａよりも小径の筒状の突出部７５ｂとを有する。円板部７５ａの背面側からは、４本のボルト部材８０ａ〜８０ｄが挿入され，カバー部７６を貫通して操作つまみ７７にねじ込まれる。これによって、カバー部７６と操作つまみ７７がつまみ本体７５に固定される。
【００４２】
突出部７５ｂは、受け部材６６の鍔部６６ａを覆うように受け部材６６に向けて筒状に突出する。突出部７５ｂで覆われる受け部材６６の鍔部６６ａは、突出部７５ｂの内周面に装着される連結部材７４によって抜け止めされる。これによって、受け部材６６と操作部材６７とが相対回転自在かつ軸方向移動不能に連結される。つまみ本体７５の内周部には、ナット部７２を収納するためのナット収納部７５ｃが形成される。ナット収納部７５ｃ内において、ナット部７２はつまみ本体７５に対して軸方向移動自在かつ一体回転可能に収納される。
【００４３】
カバー部７６は、つまみ本体７５の円板部７５ａの前面及び外周面の一部を覆うように形成される。この結果、ドラグつまみ６１の機構部分を構成する合成樹脂製のつまみ本体７５はスプール４内に隠れて外部に露出しなくなる。カバー部７６の前面は、中心部分に向けて徐々に厚みが薄くなるように凹む。操作つまみ７７は、カバー部７６の直径に沿って配置され、前方に突出する。
【００４４】
連結部材７４は、弾性を有する金属線材を折り曲げて形成された部材である。連結部材７４は、略正方形の角に相当する４つの角部７４ａを有するＣ字状のばね部材である。連結部材７４は、突出部７５ｂの内周面に形成された環状溝に角部７４ａが係止されることによって突出部７５ｂの内周面に装着される。連結部材７４は、角部７４ａの間の３つの円弧部７４ｂが鍔部６６ａの後面に接触することによって、受け部材６６を抜け止めする。
【００４５】
ナット部７２は、たとえば六角ナットであり、スプール軸１５の先端外周面に形成された雄ねじ部１５ｂに螺合する。ナット部７２は、つまみ本体７５と一体回転することによって、スプール軸１５に沿って移動してコイルバネ７３を伸縮させる。
【００４６】
コイルバネ７３は、操作部材６７の回転によって、スプール軸１５方向に伸縮する。コイルバネ７３は、操作部材６７と受け部材６６との間に配置される。詳細には、コイルバネ７３と受け部材６６との間に摺動部材６３が配置されるため、コイルバネ７３は、操作部材６７と摺動部材６３との間に配置される。なお、コイルバネ７３は圧縮状態で配置されることが好ましい。コイルバネ７３は、図７及び図８に示すように、軸方向の断面が矩形状に形成される。すなわち、コイルバネ７３は、断面が矩形状の線材を螺旋状とすることによって形成される。コイルバネ７３の内径は、スプール軸１５の外径よりも大きく、コイルバネ７３とスプール軸１５とは接触しない。
【００４７】
摺動部材６３は、コイルバネ７３と受け部材６６との間に配置される。摺動部材６３は、コイルバネ７３の付勢力によって受け部材６６に押圧される。摺動部材６３は、リング状の部材であって、その内径及び外径は、コイルバネ７３とほぼ同じである。摺動部材６３は、受け部材６６よりも小さい摩擦係数の材料で形成することが好ましい。摺動部材６３は、例えば座金形状とすることができる。
【００４８】
第１シール部材６４は、たとえば合成ゴム製の円板状の部材である。第１シール部材６４は、スプール４の支持筒部５３の装着筒部５３ａの内周面と受け部材６６の円筒部６６ｂの外周面との間に配置される。第１シール部材６４は、環状溝６６ｄに装着される止め輪７０によって後方への移動を規制される。第１シール部材６４は、内周面が受け部材６６の円筒部６６ｂに装着され、外周部が支持筒部５３の装着筒部５３ａの内周面に接触する。第１シール部材６４の内部には、たとえばステンレス合金製の円板状の補強板８１が埋設される。補強板８１は、第１シール部材６４の成形時に金型内に挿入され、インサート成形される。第１シール部材６４の外周部には、装着筒部５３ａの内周面に接触する先細り断面のリップ部６４ａが形成される。リップ部６４ａは前方に向けて傾斜する。また、径方向の途中には、前方に突出する断面三角形状の環状突起部６４ｂが形成される。この環状突起部６４ｂが第２シール部材６５の背面に接触する。また、第１シール部材６４のリップ部６４ａの前面も第２シール部材６５の外周面の後端部に接触する。
【００４９】
第２シール部材６５は、たとえば、合成ゴム製の有底筒状の部材である。第２シール部材６５は、第１シール部材６４と操作部材６７との間に配置される。第２シール部材６５は、操作部材６７のつまみ本体７５の突出部７５ｂの外周面に接触可能な筒状の接触部６５ａと、接触部６５ａの内周側に形成され突出部７５ｂの後端面に係合する環状凹部６５ｂと、受け部材６６の円筒部６６ｂの外周面に装着される円板部６５ｃと、を有する。
【００５０】
このような構成のドラグつまみ６１では、受け部材６６と操作部材６７との間に配置される第２シール部材６５が、操作部材６７の突出部７５ｂの外周面に接触する筒状の接触部６５ａを有し、この第２シール部材６５によって受け部材６６と操作部材６７との隙間がシールされる。また、スプール４と受け部材６６との間に配置された第１シール部材６４によってスプール４と受け部材６６との間がシールされる。ここでは、第２シール部材６５が筒状の接触部６５ａで操作部材６７のつまみ本体７５の突出部７５ｂの外周面に接触している。このため、第１シール部材６４と第２シール部材６５とを一体形成した場合に、第１シール部材６４に水圧が作用して押し下げられても、第２シール部材６５が変形しにくくなる。このため、２つのシール部材６４，６５に水圧が作用しても、受け部材６６と操作部材６７との間からドラグつまみの内部に液体が流入しにくくなる。しかも、第１シール部材と第２シール部材と別体であるので、第１シール部材６４が変形しても第２シール部材６５はより変形しにくくなり、ドラグつまみ６１の内部に液体がさらに流入しにくくなる。
【００５１】
つまみ発音機構６８は、図６に示すように、音出し凹部６９ａを有する音出し円板６９と、つまみ本体７５に進退自在に装着される打撃ピン８２と、打撃ピン８２を音出し凹部６９ａに向けて付勢するコイルバネ８３とを有する。打撃ピン８２は、中央部分が大径で先端及び後端が小径でさらに先端が半球状に丸められたピンであり、ドラグ操作時に操作部材６７と受け部材６６とが相対回転すると、音出し凹部６９ａとの衝突を繰り返して発音する。
【００５２】
音出し円板６９は、合成樹脂製の部材であり、その前面には、周方向に間隔を隔てて多数の音出し凹部６９ａが形成される。音出し円板６９の後面には、鍔部６６ａに形成される複数の連結孔６６ｅに嵌合する複数の連結突起６９ｂが形成されている。これによって音出し円板６９は、受け部材６６に対して回り止めされる。
【００５３】
〔摩擦部の構成〕
摩擦部６２は、複数（例えば４枚）のドラグ座金６２ａ〜６２ｄを有する。ドラグ座金６２ａは、図４に示すように、受け部材６６に第１支持部５６を介して接触し、かつスプール軸１５に対して回転不能な金属製の円板部材である。ドラグ座金６２ｂは、スプール４に対して一体回転可能な金属製の円板部材である。ドラグ座金６２ｃは、ドラグ座金６２ａと同様にスプール軸１５に対して回転不能な金属製の円板部材である。ドラグ座金６２ｄは、スプール４及びスプール軸１５に対して回転自在なたとえばフェルト製又はグラファイト製の円板部材である。ドラグ座金６２ａ，６２ｃの中心部には、スプール軸１５の先端側に形成される係止面１５ａに係合する長円形の係止スロット６２ｅが形成される。ドラグ座金６２ｂの外周面には、径方向外方に突出する複数（たとえば８つ）の耳部６２ｆが形成される。この耳部６２ｆは、ドラグ収納筒部５２の内周面に周方向に間隔を隔てて配置され、軸方向に沿って形成される複数の係止凹部５２ａに係止されている。これによって、ドラグ座金６２ｂは、スプール４に対して一体回転可能になっている。
【００５４】
ドラグ座金６２ａ〜６２ｄは、支持筒部５３を支持する第１支持部５６によって抜け止めされる。したがって、支持筒部５３の前方に配置される抜け止めばね５５を外さないと、ドラグ座金６２ａ〜６２ｄは着脱できない。
【００５５】
［ドラグ発音機構の構成］
ドラグ発音機構８５は、ドラグの作動によってスプール軸１５とスプール４とが相対回転すると発音する機構である。ドラグ発音機構８５は、図４に示すように、スプール４の後フランジ部４ｈの背面に装着されスプール４と一体回転する第１発音部材８６と、第１発音部材８６に対して打撃を繰り返す第２発音部材８７と、を有する。
【００５６】
第１発音部材８６は、鍔付き円筒形状であり、内周面に円弧状の多数の音出し凹部８６ａが形成される金属製の部材である。第１発音部材８６の後面には銘版８８が配置され、銘版８８とともに、第１発音部材８６は後フランジ部４ｈの背面にねじ止めされる。
【００５７】
第２発音部材８７は、音出し凹部８６ａに向けて進退する２つの打撃ピン８７ａと、２つの打撃ピン８７ａを音出し凹部８６ａに向けて付勢する２つのばね部材８７ｂと、を有する。打撃ピン８７ａは、第２支持部５７の第２係止面５７ｄに回転不能に係合する筒状の収納部材８９に収納される。収納部材８９は、打撃ピン８７ａを進退可能に収納する２つの収納溝８９ｃを有する厚肉円筒状の収納本体部８９ａと、収納本体部８９ａにねじ止めされ収納溝８９ｃを塞ぐとともに、第２係止面５７ｄに係合する円板状のカバー８９ｂと、を有する。収納本体部８９ａの２つの収納溝８９ｃは、収納本体部８９ａの外周面に開口しており、開口側の２つの収納溝８９ｃの間隔が狭くなるように形成される。カバー８９ｂの内周面には、第２係止面５７ｄに係合する係止スロット８９ｄが形成される。収納部材８９と、スプール４の支持壁部４ｅとの間にはワッシャ１０１が配置される。
【００５８】
カバー８９ｂの後面には、第２支持部５７の第１係止面５７ｃに係合する、たとえば合成樹脂製の３枚のスプール位置調整ワッシャ１０２と、スプール４の後方への移動を規制する２枚の規制ワッシャ１０３，１０４とが装着される。規制ワッシャ１０３，１０４は、スプール軸１５の係止面１５ａに係合する係止スロット１０３ａ，１０４ａが内周部に形成され、スプール軸１５に対して回転不能である。規制ワッシャ１０４は、段付きワッシャであり、規制ワッシャ１０３とで第３シール部材１０５を保持する。第３シール部材１０５の外周部は、第１発音部材８６の内周面に接触する。第３シール部材１０５は、スプール４の後面から摩擦部６２を含むスプール４内部への液体の流入を防止するために設けられる。
【００５９】
〔リールの操作及び動作〕
釣りを行う前に魚の大きさや種類に合わせてスプール４の回転を制動する制動力、すなわちドラグ力を調整する。ドラグ力を調整するには、ドラグつまみ６１を回す。ドラグつまみ６１をたとえば時計回りに回すと、スプール軸１５に螺合するナット部７２が背面方向（図３、５の右方向）に進行する。コイルバネ７３はナット部材７２の進行によって、摺動部材６３を介して受け部材６６を背面方向に付勢し、受け部材６６は、コイルバネ７３による付勢力を受けてスプール４にドラグ力を付与する。より詳細には、受け部材６６が第１支持部５６を介して摩擦部６２を押圧し、摩擦部６２を構成する各ドラグ座金６２ａ〜６２ｄがそれぞれ摩擦力で係合し合うことでスプール４にドラグ力を付与する。このとき、受け部材６６と操作部材６７との相対回転によって打撃ピン８２が音出し凹部６９ａへの衝突を所定間隔で繰り返し、歯切れがよい軽快なクリック音が発生する。なお、ドラグつまみ６１を時計回りに回転させるほど、ドラグ力は大きくなる。
【００６０】
キャスティング時には、ベールアーム４４を糸開放姿勢に反転させる。これによって第１ベール支持部材４０及び第２ベール支持部材４２が揺動する。この状態で釣り竿を握る手の人差し指で釣り糸を引っかけながら釣り竿をキャスティングする。すると釣り糸は仕掛けの重さによって勢いよく放出される。この状態でハンドル１を糸巻取方向に回転させると、ロータ駆動機構５によってロータ３が糸巻取方向に回転し、ベールアーム４４がベール反転機構（図示せず）によって糸巻取位置に復帰し、釣り糸がベール４３からラインローラ４１に移動してスプール４に巻き付けられる。
【００６１】
［特徴］
（１）上記実施形態に係るドラグつまみ６１は、釣り用リールのリール本体２に回転可能に装着されるスプール４の回転を制動するドラグ機構６０のドラグ力を調整するためのドラグつまみである。このドラグつまみ６１は、操作部材６７、コイルバネ７３、受け部材６６、及び摺動部材６３を備える。操作部材６７は、リール本体２に回転可能に設けられる。コイルバネ７３は、操作部材６７の回転によって、操作部材６７の回転軸方向（図１、２，３、５の左右方向）に伸縮する。受け部材６６は、コイルバネ７３による付勢力を受けてスプール４にドラグ力を付与する。摺動部材６３は、回転軸方向においてコイルバネ７３と受け部材６６との間に配置され、受け部材よりも摩擦係数が小さい。
【００６２】
以上のように構成される実施形態によれば、以下のような効果を奏する。まず、従来は、コイルバネ７３と受け部材６６とが接触していたため、コイルバネ７３には、受け部材６６との摩擦による摩擦力が掛かっていた。これに対して本実施形態によれば、コイルバネ７３と受け部材６６との間に摺動部材６３が配置されるため、コイルバネ７３には、摺動部材６６との摩擦による周方向の摩擦力が掛かる。そして、受け部材６６よりも摺動部材６３の方が摩擦係数が小さいため、コイルバネ７３に掛かる摩擦力を従来に比べて低減することができる。この結果、摩擦力によるコイルバネ７３の捩れ変形を抑制することができる。
【００６３】
（２）上記実施形態に係るコイルバネ７３は、その軸方向断面が矩形状である。このような形状のコイルバネ７３を用いることによって、コイルバネ７３の径方向への湾曲を防ぐことができる。なお、コイルバネ７３の軸方向断面が矩形状の場合であっても、上述したようにコイルバネに掛かる摩擦力を低減することができるため、コイルバネ７３の捩れ変形を抑制することができる。
【００６４】
（３）上記実施形態に係る釣り用リールは、リール本体２と、リール本体２に回転可能に装着されるスプール４と、ドラグつまみ６１を有しておりスプール４の回転を制動するドラグ機構６０と、を備える。上述したようにドラグつまみ６１に使用されるコイルバネ７３に掛かる摩擦力を低減することができるため、コイルバネ７３の捩れ変形を抑制することができる。
【００６５】
［変形例］
以上、本発明の実施形態について説明したが、本発明はこれらに限定されるものではなく、本発明の趣旨を逸脱しない限りにおいて種々の変更が可能である。以下、各変形例について説明する。
【００６６】
変形例１
例えば上記実施形態では、摺動部材７３はコイルバネ７３と受け部材６６との間に配置されるが、図９に示すように、摺動部材７３はコイルバネ７３と操作部材６７との間に配置されてもよい。さらには、摺動部材７３が、コイルバネ７３と受け部材６６との間と、コイルバネ７３と操作部材６７との間の両方に設置してもよい。
【００６７】
この変形例１に係るドラグつまみ６１は、釣り用リールのリール本体２に回転可能に装着されるスプール４の回転を制動するドラグ機構６０のドラグ力を調整するためのドラグつまみである。このドラグつまみ６１は、操作部材６７、コイルバネ７３、受け部材６６、及び摺動部材６３を備える。操作部材６７は、リール本体２に回転可能に設けられる。コイルバネ７３は、操作部材６７の回転によって、操作部材６７の回転軸方向に伸縮する。受け部材６６は、コイルバネ７３による付勢力を受けてスプール４にドラグ力を付与する。摺動部６３は、回転軸方向においてコイルバネ７３と操作部材６７との間に配置され、操作部材６７よりも摩擦係数が小さい。
【００６８】
この構成によれば、コイルバネ７３と操作部材６７との間に摺動部材６３が配置されるため、従来、操作部材６７との摩擦によって周方向の摩擦力が掛かっていたコイルバネ７３には、摺動部材６３との摩擦によって周方向の摩擦力が掛かるようになる。そして、操作部材６７よりも摺動部材６３の方が摩擦係数が小さいため、コイルバネ７３に掛かる摩擦力を従来に比べて低減することができる。この結果、摩擦力によるコイルバネ７３の捩れ変形を抑制することができる。
【００６９】
変形例２
コイルバネ７３は、図１０に示すようなコイルドウェーブスプリングであってもよい。詳細には、コイルバネ７３は、線材を軸方向に凹凸させ、この凹凸を旋回方向に連続させる波状に形成されてもよい。このコイルバネ７３は、隣り合う線材の凸部同士又は凹部同士が対向し、対向する凸部同士が頂点で接触する。このようにコイルバネ７３をコイルドウェーブスプリングにすることによって、同等の付勢力を保持しつつ軸方向の長さを短くすることができる。
【００７０】
変形例３
コイルバネ７３は、軸方向の断面が円形であってもよい。すなわち、断面が円形の線材を螺旋状にして形成されたコイルバネを用いることもできる。このような構成であっても、上記実施形態と同様に、コイルバネ７３に係る摩擦力を低減して、コイルバネ７３の捩れ変形を防ぐことができる。
【００７１】
変形例４
摺動部材６３は、コイルスプリング７３と接触する面、及び受け部材６６と接触する面の少なくともいずれか一方の面は平らでなくてもよい。例えば、コイルスプリング７３、摺動部材６３、及び受け部材６６間の摺動をより滑らかにするために潤滑油やグリスなどを使用することができる。そして、この潤滑油やグリスを保持するために、摺動部材６３の少なくとも一方の面に溝を形成することができる。この溝は、径方向に沿って連続又は断続的に形成されてもよいし、周方向に連続又は断続的に形成されてもよい。その他にも、摺動部材６３の少なくとも一方の面に凹部又は凸部を形成してもよい。
【符号の説明】
【００７２】
２    リール本体
４    スプール
６０    ドラグ機構
６１    ドラグつまみ
６３    摺動部材
６６    受け部材
６７    操作部材
７３    コイルバネ
【図１】
2014108092.tif 000003
【図２】
2014108092.tif 000004
【図３】
2014108092.tif 000005
【図４】
2014108092.tif 000006
【図５】
2014108092.tif 000007
【図６】
2014108092.tif 000008
【図７】
2014108092.tif 000009
【図８】
2014108092.tif 000010
【図９】
2014108092.tif 000011
【図１０】
2014108092.tif 000012